(57)【要約】【課題】  コンピュータを用いた双方向画像通信システムにおいて、特別な外部機器を追加することなく、ソフトウェアによる自動処理によって、画像の伝送遅延時間を精度よくかつ簡単に計測すること【解決手段】  自局ＰＣ１２に接続されたＴＶカメラ１１により時間経過を指示するオブジェクト（時計画像）を撮影し、オブジェクトの撮影画像を自局ＰＣ１２から通信路１６を介して対局ＰＣ１３に送信し、対局ＰＣ１３で折り返し送信された撮影画像を自局ＰＣ１２で受信することで、自局ＰＣ１２に入力された画像情報が対局ＰＣ１３から出力されるまでの時間を計測するもので、自局ＰＣ１２は、送信手段１２１と、受信手段１２２と、時間経過指示オブジェクト生成手段１２３と、画像表示手段１２４と、時刻比較手段１２５と、送信手段１２６とを備え、対局ＰＣ１３は画像の折り返し手段１３３を備えている。【選択図】    図３
2006180294.tif 000002
【特許請求の範囲】
【請求項１】
第１のコンピュータに接続された撮像装置により時間経過を指示するオブジェクトを撮影し、前記オブジェクトの撮影画像を前記第１のコンピュータから通信路を介して第２のコンピュータに送信し、前記第２のコンピュータで折り返し送信された前記オブジェクトの撮影画像を前記第１のコンピュータで受信する画像伝送遅延時間計測システムであって、
前記撮影装置からの画像を前記第２のコンピュータに送信する送信手段と、
前記第２のコンピュータから折り返された画像を受信する受信手段と、
時間経過を指示するオブジェクトを画像として生成する時間経過指示オブジェクト生成手段と、
ディスプレイに、時間経過を指示するオブジェクトを表示するとともに、前記第２のコンピュータから折り返し送信された折り返し画像を並べて表示する画像表示手段と、
前記オブジェクトが指示している時刻と、前記第２のコンピュータから折り返し送信された前記折り返し画像のオブジェクトが指示している時刻とを画像処理により比較する時刻比較手段と、
を備えた前記第１のコンピュータ、
前記第１のコンピュータから受信した画像を折り返し送信する折り返し手段を備えた前記第２のコンピュータ、および、
前記ディスプレイの前記オブジェクトと前記受信画像をまとめて撮影する前記撮像装置、
を備えたことを特徴とする画像伝送遅延時間計測システム。
【請求項２】
第１のコンピュータに接続された撮像装置により時間経過を指示するオブジェクトを撮影し、前記オブジェクトの撮影画像を前記第１のコンピュータから通信路を介して第２のコンピュータに送信し、前記第２のコンピュータで折り返し送信された前記オブジェクトの撮影画像を前記第１のコンピュータで受信する画像伝送遅延時間計測方法であって、
前記第１のコンピュータにより時間経過を指示する前記オブジェクトを画像として生成する時間経過指示オブジェクト生成ステップと、
前記第１のコンピュータにより前記撮像装置からの撮影信号を取得し、当該撮影信号を前記第２のコンピュータに送信する送信ステップと、
前記第２のコンピュータにおいて前記第１のコンピュータから受信した画像を、前記第１のコンピュータに折り返し送信する折り返しステップと、
前記第２のコンピュータから折り返された画像を前記第１のコンピュータにより受信する受信ステップと、
前記第１のコンピュータのディスプレイに、時間経過を指示するオブジェクトを表示するとともに、前記第１のコンピュータにおいて前記第２のコンピュータから折り返し送信された折り返し画像を並べて表示する画像表示ステップと、
前記第１のコンピュータにおいて、前記オブジェクトが指示している時刻と、前記第２のコンピュータから折り返し送信された前記折り返し画像のオブジェクトが指示している時刻とを画像処理により比較する時刻比較スップと、
を有することを特徴とする画像伝送遅延時間計測方法。
【請求項３】
前記第１のコンピュータに搭載して実行される前記送信ステップ、前記受信ステップ、前記時間経過指示オブジェクト生成ステップ、前記画像表示ステップ、前記時刻比較スップを含むプログラムと、前記第２のコンピュータに搭載されて実行される前記折り返しステップを含むプログラムと、
を有してなることを特徴とする画像伝送遅延時間計測プログラム。
【発明の詳細な説明】
【技術分野】
【０００１】
本発明は、第１のコンピュータ側で撮影された時間経過を指示するオブジェクトを第２のコンピュータに送信し、第２のコンピュータで折り返し送信された画像を前記第１のコンピュータで受信することで画像の伝送時間を計測する画像伝送遅延時間計測装置、画像伝送遅延時間計測システムおよび画像伝送遅延の計測方法に関し、時間経過を指示するオブジェクトとして特別なハードウェアを必要としない前記計測装置、前記計測システムおよび前記計測方法に関する。
【背景技術】
【０００２】
近年、ＩＰネットワークの広帯域化やＰＣの性能向上により、パーソナルコンピュータやモバイル機器を用いたＴＶ会議、ＴＶ電話が普及しつつある。この種のＴＶ会議、ＴＶ電話等の双方向の画像通信システムでは、画像信号が送信側から受信側に到達する遅延時間がサービス品質に大きな影響を与えるため、遅延時間の計測が必要となる。
【０００３】
２点間の画像伝送遅延時間を計測する際には、従来、図１（Ａ）に示すように、撮像装置８２を用いて、時間経過表示物（時計、ストップウォッチ等：以下、「時計」と言う）８１を撮影し、撮影された時計画像Ｇ（ｔ）を、送信画像表示装置（ディスプレイ）８３にダイレクトに出力するとともに、自局側の双方向画像伝送装置８４に送出する。
【０００４】
自局側の双方向画像伝送装置８４は時計画像Ｇ（ｔ）を、通信路８５を介して対局側の双方向画像伝送装置８６に送信する。
【０００５】
対局側の双方向画像伝送装置８６は、時計画像Ｇ（ｔ）を、通信路８５を介して自局側の双方向画像伝送装置８４に折り返し送信し、自局側の双方向画像伝送装置８４は、受信画像表示装置８７に時計画像Ｇ（ｔ）を表示する。
【０００６】
図１（Ｂ）に示すように、時刻ｔ１における時計画像Ｇ（ｔ１）が受信画像表示装置８７に表示されたときの、送信画像表示装置８３における時計画像をＧ（ｔ２）とする（そのときの時刻はｔ２である）。
【０００７】
したがって、受信画像表示装置８７に表示された時計画像Ｇ（ｔ）の指針の位置と、送信画像表示装置８３に表示された時計画像Ｇ（ｔ）の指針の位置との差（自局側の双方向画像伝送装置８４と、対局側の双方向画像伝送装置８６との間を１往復する際に要した時間）、すなわち往復伝送遅延時間を求めることができ、この時間を１／２した時間を、伝送遅延時間とすることができる。
【０００８】
また、パーソナルコンピュータ（ＰＣ）を用いた双方向通信システムにおける送信側ＰＣと受信側ＰＣとの間の伝送遅延時間を求める方法も従来知られている。この方法では、図２（Ａ）に示すように、撮像装置９２を用いて、時計９１を撮影し、撮影された時計画像Ｇ（ｔ）を、自局側ＰＣ９３に送出し、自局側ＰＣ９３は、時計画像Ｇ（ｔ）をディスプレイ９４に出力するとともに通信路９５を介して対局側の対局側ＰＣ９６に送出する。なお、後述するように（図２（Ｂ）参照）、ディスプレイ９４では、撮像装置９２で撮影された時計画像Ｇ（ｔ）を、δｔ遅れて表示している。
【０００９】
自局側ＰＣ９３からの時計画像Ｇ（ｔ）を受信した対局側ＰＣ９６では、時計画像Ｇ（ｔ）を、通信路９５を介して自局側ＰＣ９３に折り返し送信する。したがって、自局側ＰＣ９３と、対局側ＰＣ９６との間を１往復する際に要した時間、すなわち往復伝送遅延時間を求めることができ、この求めた往復伝送遅延時間を１／２した時間を、伝送遅延時間とすることができる。
【発明の開示】
【発明が解決しようとする課題】
【００１０】
しかし、通常、遅延時間は、数ｍｓｅｃから数十ｍｓｅｃ単位の大きさとなる。このため、図１（Ａ），（Ｂ）に示した方法では、自局側の双方向画像伝送装置８４に表示された時計画像Ｇ（ｔ）と、対局側の双方向画像伝送装置８６に表示された時計画像Ｇ（ｔ）とを並べた状態で、写真やビデオに記録して、指針の位置を比較することは、人手による煩わしい作業が必要となる。また、外部機器として、時計８１（時間経過表示物）が別途必要となる。
【００１１】
また、図２（Ａ）に示したＰＣを用いたシステムの場合には、撮像装置９２で撮影された時計画像Ｇ（ｔ）がディスプレイ９４により表示されるまでの経過時間をδｔとすると、時計画像Ｇ（ｔ）がディスプレイ９４に表示されたときの真の時刻はｔ＋δｔである。たとえば、図２（Ｂ）に示すように、時刻ｔ１における時計画像Ｇ（ｔ１）が対局側ＰＣ９６で折り返され、自局側ＰＣ９３に送信されディスプレイ９４で表示されたときに、ディスプレイ９４に表示された撮像装置９２からの時計画像をＧ（ｔ２）とすると、そのときの、実際の時刻はｔ２＋δｔである。すなわち、ディスプレイ９４に表示された時計画像Ｇ（ｔ１）の指針の位置と、時計９１１が指示する指針の位置との差には、δｔだけ誤差が生じることになり、高精度の伝送遅延時間測定ができない。
【００１２】
本発明の目的は、コンピュータを用いた双方向画像通信システムにおいて、特別な外部機器を追加することなく、ソフトウェアによる自動処理によって、画像の伝送遅延時間を精度よくかつ簡単に計測することにある。
【課題を解決するための手段】
【００１３】
本発明の画像伝送遅延時間計測システムは、第１のコンピュータに接続された撮像装置により時間経過を指示するオブジェクトを撮影し、前記オブジェクトの撮影画像を前記第１のコンピュータから通信路を介して第２のコンピュータに送信し、前記第２のコンピュータで折り返し送信された前記オブジェクトの撮影画像を前記第１のコンピュータで受信する（たとえば、この受信により前記第１のコンピュータに入力された画像情報が前記第２のコンピュータから出力されるまでの時間を計測する）ものであって、前記撮影装置からの画像を前記第２のコンピュータに送信する送信手段と、前記第２のコンピュータから折り返された画像を受信する受信手段と、時間経過を指示するオブジェクトを画像として生成する時間経過指示オブジェクト生成手段と、ディスプレイに、時間経過を指示するオブジェクトを表示するとともに、前記第２のコンピュータから折り返し送信された折り返し画像を並べて表示する画像表示手段と、前記オブジェクトが指示している時刻と、前記第２のコンピュータから折り返し送信された前記折り返し画像のオブジェクトが指示している時刻とを画像処理により比較する時刻比較手段と、を備えた前記第１のコンピュータ、前記第１のコンピュータから受信した画像を折り返し送信する折り返し手段を備えた前記第２のコンピュータ、および、前記ディスプレイの前記オブジェクトと前記受信画像をまとめて撮影する前記撮像装置を備えたことを特徴とする。
【００１４】
本発明の画像伝送遅延時間計測方法では、第１のコンピュータに接続された撮像装置により時間経過を指示するオブジェクトを撮影し、前記オブジェクトの撮影画像を前記第１のコンピュータから通信路を介して第２のコンピュータに送信し、前記第２のコンピュータで折り返し送信された前記オブジェクトの撮影画像を前記第１のコンピュータで受信する（たとえば、この受信により前記第１のコンピュータに入力された画像情報が前記第２のコンピュータから出力されるまでの時間を計測する）ものであって、前記第１のコンピュータにより時間経過を指示する前記オブジェクトを画像として生成する時間経過指示オブジェクト生成ステップと、前記第１のコンピュータにより前記撮像装置からの撮影信号を取得し、当該撮影信号を前記第２のコンピュータに送信する送信ステップと、前記第２のコンピュータにおいて前記第１のコンピュータから受信した画像を、前記第１のコンピュータに折り返し送信する折り返しステップと、前記第２のコンピュータから折り返された画像を前記第１のコンピュータにより受信する受信ステップと、前記第１のコンピュータのディスプレイに、時間経過を指示するオブジェクトを表示するとともに、前記第１のコンピュータにおいて前記第２のコンピュータから折り返し送信された折り返し画像を並べて表示する画像表示ステップ、前記第１のコンピュータにおいて、前記オブジェクトが指示している時刻と、前記第２のコンピュータから折り返し送信された前記折り返し画像のオブジェクトが指示している時刻とを画像処理により比較する時刻比較スップと、を有することを特徴とする。
【００１５】
本発明の画像伝送遅延時間計測プログラムは、前記第１のコンピュータに搭載して実行される前記送信ステップ、前記受信ステップ、前記時間経過指示オブジェクト生成ステップ、前記画像表示ステップ、前記時刻比較スップを含むプログラムと、前記第２のコンピュータに搭載されて実行される前記折り返しステップを含むプログラムと、を有してなることを特徴とする。
【発明の効果】
【００１６】
本発明によれば、特別な外部機器を追加することなく、ソフトウェアによる自動処理によって、コンピュータを用いた双方向画像通信システムにおける画像の伝送遅延時間を精度よくかつ簡単に計測できる。
【００１７】
本発明は、コンピュータ上に時間経過表示と画像処理による遅延計測処理ソフトウェアを追加するのであり、しかも必ずしもＴＶ会議やＰＣ会議用のソフトウェアと連携する必要がないため汎用性が高い。また、パーソナルコンピュータ上に時間を示す表示をさせるため、生の時間表示と受信画像中の時間表示との比較ができ、したがってディスプレイ表示までの経過時間に伴う測定誤差の問題が解消できる。
【発明を実施するための最良の形態】
【００１８】
図３（Ａ）は、本発明の画像伝送遅延時間計測システムの構成図である。図３（Ａ）において、画像伝送遅延時間計測システム１は、撮像装置（ＴＶカメラ）１１と、ディスプレイ１４を備えた第１のコンピュータ（自局側ＰＣ）１２と、ディスプレイ１５を備えた第２のコンピュータ（対局側ＰＣ）１３とを有し、自局側ＰＣ１２と対局側ＰＣ１３とは、通信路１６を介して接続されている。
【００１９】
画像伝送遅延時間計測システム１では、次に述べるように、自局側ＰＣ１２に接続されたＴＶカメラ１１により時間経過を指示するオブジェクトＴＰＯを撮影し、オブジェクトＴＰＯの撮影画像を自局側ＰＣ１２から通信路１６を介して対局側ＰＣ１３に送信し、対局側ＰＣ１３で折り返し送信されたオブジェクトＴＰＯの撮影画像を自局側ＰＣ１２で受信することで、自局側ＰＣ１２に入力された画像情報が対局側ＰＣ１３から出力されるまでの時間を計測することができる。
【００２０】
ＴＶカメラ１１は、自局側ＰＣ１２のディスプレイ１４を撮影するようにセットされている。自局側ＰＣ１２は、図４に示すように送信手段１２１と、受信手段１２２と、時間経過指示オブジェクト生成手段１２３と、画像表示手段１２４と、時刻比較手段１２５とを備えている。
【００２１】
送信手段１２１は、ＴＶカメラ１１からの画像を対局側ＰＣ１３に送信するものであり、画像伝送遅延時間計測に際しては、画像表示手段１２４によりディスプレイ１４に表示された画像を送信する。
【００２２】
受信手段１２２は、対局側ＰＣ１３から折り返された画像を受信する。時間経過指示オブジェクト生成手段１２３は、時間経過を指示するオブジェクトＴＰＯ（時計画像）を画像Ｇ（ｔ）として生成する。
【００２３】
画像表示手段１２４は、図３（Ｂ）に示すようにディスプレイ１４に、時間経過を指示するオブジェクトＴＰＯ（Ｇ（０））を表示するとともに、対局側ＰＣ１３から折り返し送信された少なくとも過去１回の折り返し画像Ｇ（−１），Ｇ（−２），Ｇ（−３）を並べて表示する。なお、ここでは説明の便宜上、Ｇ（ｔ）のパラメータｔを整数（０，−１，−２，−３，……）で示してある。
【００２４】
時刻比較手段１２５は、オブジェクトＴＰＯ（時計画像）が指示している時刻と、対局側ＰＣ１３から折り返し送信された少なくとも過去１回の折り返し画像Ｇ（−１），Ｇ（−２），Ｇ（−３）が指示している時刻（図３（Ｃ）参照）とを画像処理により比較する。この種の画像処理は周知であり、ある指針と他の指針とのなす角を求めることで、実質上、上記時刻の比較を行なうことができる。
【００２５】
対局側ＰＣ１３は、図４に示すように、送信手段１３１と、受信手段１３２と、折り返し手段１３３とを備えており、受信手段１３２により自局側ＰＣ１２から通信路１６を介して受信した画像（時計画像）を、折り返し手段１３３により折り返し、送信手段１３１により送信する。
【００２６】
図５（Ａ）は、自局側ＰＣ１２のハードウェア構成を示す図であり、ＣＰＵ４１と、ＲＯＭ４２と、ＲＡＭ４３と、画像処理回路（キャプチャーを含む）４４と、ディスプレイインタフェース４５と、通信回路４６とを備えている。
【００２７】
本実施形態では、通信回路４６（または、さらにＣＰＵ４１）と、ＲＯＭ４２またはＲＡＭ４３に格納された通信プログラム（ドライバを含む）により図４の送信手段１２１および受信手段１２２が実現される。
【００２８】
また、本実施形態では、画像処理回路４４（または、さらにＣＰＵ４１）と、ＲＯＭ４２またはＲＡＭ４３に格納された各種プログラムにより、図４の時間経過指示オブジェクト生成手段１２３および画像表示手段１２４が実現される。
【００２９】
さらに、本実施形態では、ＣＰＵ４１と、ＲＯＭ４２またはＲＡＭ４３に格納された各種プログラムとにより、図４の時刻比較手段１２５が実現される。
【００３０】
図５（Ｂ）は、対局側ＰＣ１３のハードウェア構成を示す図であり、ＣＰＵ５１と、ＲＯＭ５２と、ＲＡＭ５３と、画像処理回路５４と、ディスプレイインタフェース５５と、通信回路５６とを備えている。
【００３１】
画像処理回路５４の出力端子ａを入力端子ｂに直接接続することにより図４の折り返し手段１３３の折り返しが実現される。通信回路５６は、入力した時計画像Ｇ（ｔ）を、画像処理回路５４に送出し、折り返された時計画像Ｇ（ｔ）を、通信路１６を介して自局側ＰＣ１２に送出する。
【００３２】
以下、図６のフローチャートを参照して、画像伝送遅延時間計測システム１の動作（本発明の画像伝送遅延時間計測方法の実施形態）を説明する。なお、送信ステップ、時間経過指示オブジェクト生成ステップ、画像表示ステップ時刻比較スップは、ソフトウェア的にみれば、自局側ＰＣ１２のＲＯＭ４２またはＲＡＭ４３（図５（Ａ）参照）に格納された送信プログラム、時間経過指示オブジェクト生成プログラム、画像表示プログラム、時刻比較プログラムにより実現され、折り返しステップは対局側ＰＣ１３のＲＯＭ５２またはＲＡＭ５３（図５（Ｂ）参照）に格納された折り返しプログラムにより実現される。
【００３３】
本発明の画像伝送遅延時間計測方法では、自局側ＰＣ１２に接続されたＴＶカメラ１１により時間経過を指示するオブジェクトＴＰＯ（時計画像）を撮影し、オブジェクトＴＰＯの撮影画像を自局側ＰＣ１２から通信路１６を介して対局側ＰＣ１３に送信し、対局側ＰＣ１３で折り返し送信されたオブジェクトＴＰＯの撮影画像を自局側ＰＣ１２で受信することで、自局側ＰＣ１２に入力された画像情報が対局側ＰＣ１３から出力されるまでの時間を計測することができる。
【００３４】
すなわち、本発明の画像伝送遅延時間計測方法では、まず、自局側ＰＣ１２では、時間経過を指示するオブジェクトＴＰＯを画像として生成している（時間経過指示オブジェクト生成ステップＳ１０１）。
【００３５】
自局側ＰＣ１２によりＴＶカメラ１１からの撮影信号を取得し、当該撮影信号を対局側ＰＣに送信する（送信ステップＳ１０２）。このときの撮影画像は、折り返されてきた画像と時計画像とをまとめて撮像した画像である。なお、自局側ＰＣ１２のディスプレイ１４上に時間経過を示す表示を行ない、この表示と受信画像表示が１画面に収まるようにＴＶカメラ１１を調整する。
対局側ＰＣ１３において自局側ＰＣ１２から受信した時計画像を、自局側ＰＣ１２に折り返し送信する（折り返しステップＳ１０３）。
【００３６】
つぎに、対局側ＰＣ１３から折り返された画像を自局側ＰＣ１２により受信する（受信ステップＳ１０４）。自局側ＰＣ１２では、ディスプレイ１４に、時間経過を指示するオブジェクトを表示するとともに、自局側ＰＣ１２において対局側ＰＣ１３から折り返し送信された少なくとも過去１回の折り返し画像を表示する（画像表示ステップＳ１０５）。これにより、図３（Ｂ）に示すようにディスプレイ１４には時間の表示が、画面のある部分（たとえば中央）に向かって無限に、繰り返し表示される。なお、無限とは称したが、現実的にはディスプレイの解像度に応じて、視認できる数は限定される。この表示は、１往復伝送ごとに繰り返されるものであるため、往復伝送に要した時間、すなわち往復の伝送遅延時間分だけ変化しながら繰り返された表示となる。
【００３７】
この後、自局側ＰＣ１２において、オブジェクトＴＰＯが指示している時刻と、対局側ＰＣ１３から折り返し送信された折り返し画像（オブジェクトＴＰＯ）のオブジェクトが指示している時刻とを画像処理により比較する（時刻比較スップＳ１０６）。オブジェクトＴＰＯが指示している時刻の変化量をＰＣ上の画像処理によって求めることによって、自動的に往復遅延時間計測を行なうことができる。
【００３８】
時刻比較スップＳ１０６では、図３（Ｂ），（Ｃ）に示したように、回転する指針により時間経過を表示する場合には、その指針を抽出する。画像処理による抽出処理は、オブジェクトＴＰＯの形状、色などの特徴により抽出する。たとえば、指針の色を特徴的な色としておき、その色にマッチングした部分を色マッチング処理により抽出する。
【００３９】
このとき、抽出したい指針の他に、ノイズ部分が抽出されることがあるが、その際には形状マッチングにより抽出したい指針のみに搾り込みを行なう。この例のように、回転指針の場合には、指針の傾きを求め、現在の指針の傾きと１往復前の指針の傾きの差を算出する。
たとえば、指針が４秒間に１回転する場合に、傾き差が４５°の場合には、
４５／（３６０／４）＝０．５（ｓｅｃ）
となり、往復伝送遅延時間は５００ｍｓｅｃとなる。
【００４０】
往復伝送遅延時間は、５００ｍｓｅｃとなる。片方向の伝送遅延時間はこの１／２であり、２５０ｍｓｅｃとなる。これらの処理を複数回行ない、平均値を求めて伝送遅延時間とすることができる。
【００４１】
本発明における時間表示は、自局側ＰＣ１２上のソフトウェアで作成して、ディスプレイ１４に表示するため、自由な形態のものを選択できるが、画像処理による抽出と、状態認識が容易なもの（たとえば、上述した回転する指針）とすることが好ましい。
【００４２】
たとえば、上図のように回転指針、カウント数、バーインジケータは画像処理において一般的に行なわれている２値化処理、形状特徴抽出、文字認識等の処理で容易に、抽出・状態認識を行なうことができる。
【図面の簡単な説明】
【００４３】
【図１】従来の２点間の画像伝送遅延時間の計測方法を示す説明図である。
【図２】ＰＣを用いた従来の２点間の画像伝送遅延時間の計測方法を示す説明図である。
【図３】（Ａ）は本発明の画像伝送遅延時間計測システムの概略構成図、（Ｂ）は時間経過を指示するオブジェクトが並べて表示された状態を示す図、（Ｃ）はオブジェクトＴＰＯが指示している時刻を示す図である。
【図４】本発明の画像伝送遅延時間計測システムの機能ブロック図である。
【図５】（Ａ）は図３，図４の画像伝送遅延時間計測システムにおける自局ＰＣのハードウェア構成を示す図、（Ｂ）は図３，図４の画像伝送遅延時間計測システムにおける対局ＰＣのハードウェア構成を示す図である。
【図６】本発明の画像伝送遅延時間計測方法を示すフローチャートである。
【符号の説明】
【００４４】
１  画像伝送遅延時間計測システム
１１  ＴＶカメラ
１２  自局側ＰＣ
１３  対局側ＰＣ
１４，１５  ディスプレイ
１６  通信路
４１，５１  ＣＰＵ
４２，５２  ＲＯＭ
４３，５３  ＲＡＭ
４４，５４  画像処理回路
４５，５５  ディスプレイインタフェース
４６，５６  通信回路
１２１，１３１  送信手段
１２２，１３２  受信手段
１２３  時間経過指示オブジェクト生成手段
１２４  画像表示手段
１２５  時刻比較手段
１３３  折り返し手段
【図１】
2006180294.tif 000003
【図２】
2006180294.tif 000004
【図３】
2006180294.tif 000005
【図４】
2006180294.tif 000006
【図５】
2006180294.tif 000007
【図６】
2006180294.tif 000008